(57)【要約】【課題】  視聴者が快適にコマーシャルを視聴することのできる録画装置、録画方法及び録画プログラムと、録画したコマーシャルの視聴時にも商品情報を提供することのできる情報提供装置、情報提供方法及び情報提供プログラムと、録画されたコマーシャルの視聴情報を含む有用なマーケティング情報を得ることのできるマーケティング情報収集システム及びマーケティング情報収集方法を提供する。【解決手段】  ＣＭ情報提供装置が、ＣＭコード、広告代理店が作成したＣＭ関連情報、及びＣＭの放送スケジュールを録画装置に提供する。録画装置はＣＭ関連情報を利用し、装置内に録画されたＣＭの検索や、録画したいＣＭの検索を行う。また、録画装置はＣＭの録画・再生日時や、ＣＭ関連情報から得たＵＲＬによるスポンサーサイト参照日時を記録し、ＣＭ情報提供装置に送信する。【選択図】        図１
2006025156.tif 000002
【特許請求の範囲】
【請求項１】
コマーシャルを放送する放送局と、
前記放送局が放送した前記コマーシャルを録画再生する録画装置と、
前記録画装置が前記コマーシャルを録画再生するときに前記コマーシャルの関連情報を前記録画装置に提供する情報提供装置と
を有し、
前記録画装置は、前記コマーシャルの録画再生日時を記録して視聴ログとして前記情報提供装置に送信する
マーケティング情報収集システム。
【請求項２】
請求項１に記載のマーケティング情報収集システムにおいて、
前記コマーシャルとして紹介する内容の詳細情報を示すスポンサーサイトを有し、
前記情報提供装置は、前記関連情報に前記スポンサーサイトを参照するためのアドレス情報を含めて前記録画装置に提供し、前記録画装置は前記アドレス情報に記された前記スポンサーサイトを参照した日時を記録し、前記視聴ログとして前記情報提供装置に送信する
マーケティング情報収集システム。
【請求項３】
請求項１又は２に記載のマーケティング情報収集システムにおいて、
前記コマーシャルは前記コマーシャルを示すＣＭコードを含み、前記録画装置は、前記コマーシャルを録画するときに前記ＣＭコードを前記視聴ログとして記録し、前記コマーシャルの録画再生日時を前記ＣＭコード毎に記録する
マーケティング情報収集システム。
【請求項４】
請求項３に記載のマーケティング情報収集システムにおいて、
前記録画装置は、前記ＣＭコードが電子透かしの形式で埋め込まれた前記コマーシャルを受信する
マーケティング情報収集システム。
【請求項５】
請求項１乃至４のいずれか一項に記載のマーケティング情報収集システムにおいて、
前記コマーシャルを作成した広告代理店を有し、
前記情報提供装置は、前記録画装置を使用する視聴者の属性情報を保存しており、前記広告代理店に前記視聴ログとともに前記属性情報を提供する
マーケティング情報収集システム。
【請求項６】
放送局がコマーシャルを放送するステップと、
録画装置が前記コマーシャルを録画再生してその録画再生日時を視聴ログとして記録するステップと、
情報提供装置が前記コマーシャルの関連情報を前記録画装置に提供するステップと、
前記録画装置が前記視聴ログを前記情報提供装置に提供するステップと
を具備するマーケティング情報収集方法。
【請求項７】
請求項６に記載のマーケティング情報収集方法において、
前記情報提供装置が、前記コマーシャルの内容の詳細情報を示すスポンサーサイトを参照するためのアドレス情報を前記関連情報に含めて前記録画装置に提供するステップと、
前記録画装置が、前記アドレス情報に記された前記スポンサーサイトを参照した日時を記録して、前記視聴ログとして前記情報提供装置に送信するステップと
を具備するマーケティング情報収集方法。
【請求項８】
請求項６又は７に記載のマーケティング情報収集方法において、
前記コマーシャルは前記コマーシャルを示すＣＭコードを含み、前記録画装置は前記コマーシャルを録画するときに前記ＣＭコードを前記視聴ログとして記録し、前記コマーシャルの録画再生日時を前記ＣＭコード毎に記録するステップを具備する
マーケティング情報収集方法。
【請求項９】
コマーシャル及び前記コマーシャルを示すＣＭコードを含んだ放送信号を受信する放送信号受信部と、
前記放送信号受信部で受信した前記放送信号から前記ＣＭコードを検出するＣＭコード検出部と、
前記コマーシャルの動画情報である録画ＣＭ及び前記ＣＭコードを含む視聴ログを保存する記憶部と
を具備し、
前記記憶部は、前記ＣＭコード検出部で前記放送信号から前記ＣＭコードを検出したときに前記コマーシャルの録画及び前記視聴ログの保存を行う
録画装置。
【請求項１０】
請求項９に記載の録画装置において、
視聴者が前記記憶部に保存された前記録画ＣＭを選択して再生する旨の指示を入力するための再生指示入力部と、
表示装置に接続され、前記録画ＣＭを前記表示装置で表示できる形式に変換して前記表示装置に表示する映像音声出力部と
を具備し、
前記映像音声出力部は、前記再生指示入力部で選択された前記録画ＣＭを再生する
録画装置。
【請求項１１】
請求項１０に記載の録画装置において、
前記映像音声出力部は、前記録画ＣＭを選択再生するときに前記視聴ログに保存されている前記録画ＣＭの一覧を前記表示装置に表示する
録画装置。
【請求項１２】
請求項１０又は１１に記載の録画装置において、
前記再生指示入力部は、前記ＣＭコードの指定によって再生する前記録画ＣＭを選択する
録画装置。
【請求項１３】
請求項１０乃至１２のいずれか一項に記載の録画装置において、
録画する前記コマーシャルを指定する録画指示入力部を具備し、
前記記憶部は、前記録画指示入力部で指定された前記コマーシャルのみ保存する
録画装置。
【請求項１４】
請求項１０乃至１３のいずれか一項に記載の録画装置において、
前記コマーシャルの関連情報を取得する関連情報取得部を具備し、
前記記憶部は、前記関連情報を保存する
録画装置。
【請求項１５】
請求項１４に記載の録画装置において、
前記再生指示入力部は、視聴したい前記コマーシャルのキーワードを入力し、
前記映像音声出力部は、前記関連情報の中に前記キーワードを含んだ前記コマーシャルを再生する
録画装置。
【請求項１６】
請求項１４に記載の録画装置において、
前記再生指示入力部は、視聴したい前記コマーシャルのキーワードを入力し、
前記記憶部は、前記関連情報の中に前記キーワードを含んだ前記コマーシャルを録画する
録画装置。
【請求項１７】
請求項１６に記載の録画装置において、
前記関連情報は、前記コマーシャルの放送スケジュールを含み、
前記記憶部は、前記キーワードを含んだ前記コマーシャルを録画する場合、前記放送スケジュールに基づいて予約録画を行う
録画装置。
【請求項１８】
請求項１４乃至１７のいずれか一項に記載の録画装置において、
前記コマーシャルの詳細な商品情報が記載されたスポンサーサイトを参照するための通信部を具備し、
前記関連情報は、前記スポンサーサイトのアドレス情報を含み、
前記通信部は、前記録画ＣＭの再生時に前記アドレス情報を用いて前記スポンサーサイトを参照する
録画装置。
【請求項１９】
請求項９乃至１８のいずれか一項に記載の録画装置において、
前記記憶部は、取り外して持ち運びや交換ができる
録画装置。
【請求項２０】
請求項９乃至１９のいずれか一項に記載の録画装置において、
前記ＣＭコードは、前記動画情報に電子透かしの形式で埋め込まれている
録画装置。
【請求項２１】
請求項９乃至２０のいずれか一項に記載の録画装置において、
前記動画情報と前記ＣＭコードは、異なる前記記憶部に保存される
録画装置。
【請求項２２】
請求項１８乃至２１のいずれか一項に記載の録画装置において、
前記視聴者が前記入力部を用いて前記キーワードを入力するキーワード指定欄と、
前記キーワードに対する検索結果を表示する検索結果表示欄と、
前記動画情報を表示するＣＭ動画表示部と、
前記関連情報の一部又は全部を表示する関連情報表示欄と、
前記スポンサーサイトを表示させるためのスポンサーサイト参照ボタンと
を有するＣＭ視聴画面が前記表示装置に表示される
録画装置。
【請求項２３】
請求項１８乃至２２のいずれか一項に記載の録画装置において、
前記スポンサーサイトを表示するスポンサーサイト表示部と、
前記視聴者が前記入力部を用いて操作する表示画面操作部と
を有する詳細情報表示画面が前記表示装置に表示される
録画装置。
【請求項２４】
請求項１８乃至２３のいずれか一項に記載の録画装置において、
前記録画ＣＭの一覧を表示する録画ＣＭ一覧表示部と、
前記一覧から選択された前記録画ＣＭを参照するためのＣＭ参照ボタンと
を有するＣＭ選択画面が前記表示装置に表示される
録画装置。
【請求項２５】
請求項２４に記載の録画装置において、
前記録画ＣＭ一覧表示部は、
前記録画ＣＭの録画日時を表示する録画日時欄と、
前記録画ＣＭの前記関連情報の有無を示す情報欄と、
前記関連情報が存在する場合に前記録画ＣＭのタイトルを表示するタイトル欄と
の少なくとも一つを備える
録画装置。
【請求項２６】
コマーシャル及び前記コマーシャルを示すＣＭコードを含んだ放送信号を受信するステップと、
前記放送信号から前記ＣＭコードを検出するステップと、
前記コマーシャルの動画情報である録画ＣＭ及び前記コマーシャルのＣＭコードを含む視聴ログを記憶部に保存するステップと、
前記放送信号から前記ＣＭコードを検出したときに前記コマーシャルの録画及び前記視聴ログの保存を行うステップと
を具備する
録画方法。
【請求項２７】
請求項２６に記載の録画方法において、
前記録画ＣＭを表示装置で表示できる形式に変換するステップと、
前記記憶部に保存された前記録画ＣＭを再生するステップと
を具備する
録画方法。
【請求項２８】
請求項２７に記載の録画方法において、
前記録画ＣＭを再生するときに前記視聴ログに保存されている前記録画ＣＭの一覧を前記表示装置に表示するステップを具備する
録画方法。
【請求項２９】
請求項２７又は２８に記載の録画方法において、
前記ＣＭコードの指定に従って再生する前記録画ＣＭを選択するステップを具備する
録画方法。
【請求項３０】
請求項２７乃至２９のいずれか一項に記載の録画方法において、
録画する前記コマーシャルを指定するステップと、
前記指定された前記コマーシャルのみ保存するステップと
を具備する
録画方法。
【請求項３１】
請求項２７乃至３０のいずれか一項に記載の録画方法において、
前記コマーシャルの関連情報を取得するステップと、
前記関連情報を前記記憶部に保存するステップと
を具備する
録画方法。
【請求項３２】
請求項３１に記載の録画方法において、
前記関連情報の中に特定のキーワードを含んだ前記コマーシャルを録画又は再生するステップを具備する
録画方法。
【請求項３３】
請求項３３に記載の録画方法において、
前記関連情報は、前記コマーシャルの放送スケジュールを含み、
前記キーワードを含んだ前記コマーシャルを録画する場合、前記放送スケジュールに基づいて予約録画を行うステップを具備する
録画方法。
【請求項３４】
請求項３１乃至３４のいずれか一項に記載の録画方法において、
前記関連情報は、前記コマーシャルの詳細な商品情報が記載されたスポンサーサイトのアドレス情報を含み、
前記録画ＣＭの再生時に前記アドレス情報を用いて前記スポンサーサイトを参照するステップを具備する
録画方法。
【請求項３５】
請求項３２乃至３４のいずれか一項に記載の録画方法において、
コマーシャルの視聴者を特定するための視聴者ＩＤ及び前記キーワードを示すキーワード情報を情報提供装置に送信するステップを具備する
録画方法。
【請求項３６】
請求項３５に記載の録画方法において、
前記キーワード情報に基づいて前記関連情報を前記情報提供装置に問い合わせるステップを具備する
録画方法。
【請求項３７】
請求項３５又は３６に記載の録画方法において、
前記視聴者ＩＤ及び前記視聴ログを前記情報提供装置に送信するステップと
を具備する
録画方法。
【請求項３８】
請求項３２乃至３７のいずれか一項に記載の録画方法において、
前記コマーシャルの録画又は再生の実行日時を前記関連情報に含まれる前記ＣＭコードと関連付けて前記視聴ログとするステップを具備する
録画方法。
【請求項３９】
請求項２６乃至３８のいずれか一項に記載の録画方法において、
前記動画情報と前記ＣＭコードを、異なる前記記憶部に保存するステップを具備する
録画方法。
【請求項４０】
コマーシャル及び前記コマーシャルを示すＣＭコードを含んだ放送信号を受信するステップと、
前記放送信号から前記ＣＭコードを検出するステップと、
前記コマーシャルの動画情報である録画ＣＭ及び前記コマーシャルのＣＭコードを含む視聴ログを記憶部に保存するステップと、
前記放送信号から前記ＣＭコードを検出したときに前記コマーシャルの録画及び前記視聴ログの保存を行うステップと
を具備する
録画プログラム。
【請求項４１】
請求項４０に記載の録画プログラムにおいて、
前記録画ＣＭを表示装置で表示できる形式に変換するステップと、
前記記憶部に保存された前記録画ＣＭを再生するステップと
を具備する
録画プログラム。
【請求項４２】
請求項４１に記載の録画プログラムにおいて、
前記録画ＣＭを再生するときに前記視聴ログに保存されている前記録画ＣＭの一覧を前記表示装置に表示するステップを具備する
録画プログラム。
【請求項４３】
請求項４１又は４２に記載の録画プログラムにおいて、
前記ＣＭコードの指定に従って再生する前記録画ＣＭを選択するステップを具備する
録画プログラム。
【請求項４４】
請求項４１乃至４３のいずれか一項に記載の録画プログラムにおいて、
録画する前記コマーシャルを指定するステップと、
前記指定された前記コマーシャルのみ保存するステップと
を具備する
録画プログラム。
【請求項４５】
請求項４１乃至４４のいずれか一項に記載の録画プログラムにおいて、
前記コマーシャルの関連情報を取得するステップと、
前記関連情報を前記記憶部に保存するステップと
を具備する
録画プログラム。
【請求項４６】
請求項４５に記載の録画プログラムにおいて、
前記関連情報の中に特定のキーワードを含んだ前記コマーシャルを録画又は再生するステップを具備する
録画プログラム。
【請求項４７】
請求項４６に記載の録画プログラムにおいて、
前記関連情報は、前記コマーシャルの放送スケジュールを含み、
前記キーワードを含んだ前記コマーシャルを録画する場合、前記放送スケジュールに基づいて予約録画を行うステップを具備する
録画プログラム。
【請求項４８】
請求項４２乃至４５のいずれか一項に記載の録画プログラムにおいて、
前記関連情報は、前記コマーシャルの詳細な商品情報が記載されたスポンサーサイトのアドレス情報を含み、
前記録画ＣＭの再生時に前記アドレス情報を用いて前記スポンサーサイトを参照するステップを具備する
録画プログラム。
【請求項４９】
請求項４６乃至４８のいずれか一項に記載の録画プログラムにおいて、
コマーシャルの視聴者を特定するための視聴者ＩＤ及び前記キーワードを示すキーワード情報を情報提供装置に送信するステップを具備する
録画プログラム。
【請求項５０】
請求項４９に記載の録画プログラムにおいて、
前記キーワード情報に基づいて前記関連情報を前記情報提供装置に問い合わせるステップを具備する
録画プログラム。
【請求項５１】
請求項４９又は５０に記載の録画プログラムにおいて、
前記視聴者ＩＤ及び前記視聴ログを前記情報提供装置に送信するステップと
を具備する
録画プログラム。
【請求項５２】
請求項４６乃至５１のいずれか一項に記載の録画プログラムにおいて、
前記コマーシャルの録画又は再生の実行日時を前記関連情報に含まれる前記ＣＭコードと関連付けて前記視聴ログとするステップを具備する
録画プログラム。
【請求項５３】
請求項４０乃至５２のいずれか一項に記載の録画プログラムにおいて、
前記動画情報と前記ＣＭコードを、異なる前記記憶部に保存するステップを具備する
録画プログラム。
【請求項５４】
コマーシャルのＣＭコード及び放送スケジュールを含んだ関連情報を保存する記憶部と、
前記コマーシャルを録画する録画装置と通信する通信部と、
前記録画装置における前記コマーシャルの録画又は再生時に、前記関連情報を前記記憶部から取得する情報取得部と
を具備し、
前記通信部は、前記取得した関連情報を前記録画装置に提供する
情報提供装置。
【請求項５５】
請求項５４に記載の情報提供装置において、
前記録画装置からコマーシャルを特定するためのキーワードを受け取り、前記キーワードに該当する前記関連情報を検索するキーワード検索部を具備し、
前記通信部は、前記キーワードに該当した前記関連情報を前記録画装置に提供する
情報提供装置。
【請求項５６】
請求項５４又は５５に記載の情報提供装置において、
前記録画装置からコマーシャルを特定するための前記ＣＭコードを受け取り、前記ＣＭコードに該当する前記関連情報を検索するＣＭコード検索部を具備し、
前記通信部は、前記ＣＭコードに該当した前記関連情報を前記録画装置に提供する
情報提供装置。
【請求項５７】
コマーシャルのＣＭコード及び放送スケジュールを含んだ関連情報を記憶部に保存するステップと、
前記コマーシャルを録画又は再生する録画装置と通信するステップと、
前記録画装置における前記コマーシャルの録画又は再生時に、前記関連情報を前記記憶部から取得するステップと
を具備する
情報提供方法。
【請求項５８】
請求項５７に記載の情報提供方法において、
前記録画装置からコマーシャルを特定するためのキーワードを受け取り、前記キーワードに該当する前記関連情報を検索するステップと、
前記キーワードに該当した前記関連情報を前記録画装置に提供するステップと
を具備する
情報提供方法。
【請求項５９】
請求項５７又は５８に記載の情報提供方法において、
前記録画装置からコマーシャルを特定するための前記ＣＭコードを受け取り、前記ＣＭコードに該当する前記関連情報を検索するステップと、
前記ＣＭコードに該当した前記関連情報を前記録画装置に提供するステップと
を具備する
情報提供方法。
【請求項６０】
請求項５７乃至５９のいずれか一項に記載の情報提供方法において、
前記録画装置で実行された前記コマーシャルの録画又は再生の実行日時を示す視聴ログを前記記憶部に保存するステップと、
前記視聴ログに基づいてマーケティング用データを作成するステップと
を具備する
情報提供方法。
【請求項６１】
コマーシャルのＣＭコード及び放送スケジュールを含んだ関連情報を記憶部に保存するステップと、
前記コマーシャルを録画又は再生する録画装置と通信するステップと、
前記録画装置における前記コマーシャルの録画又は再生時に、前記関連情報を前記記憶部から取得するステップと
を具備する
情報提供プログラム。
【請求項６２】
請求項６１に記載の情報提供プログラムにおいて、
前記録画装置からコマーシャルを特定するためのキーワードを受け取り、前記キーワードに該当する前記関連情報を検索するステップと、
前記キーワードに該当した前記関連情報を前記録画装置に提供するステップと
を具備する
情報提供プログラム。
【請求項６３】
請求項６１又は６２に記載の情報提供プログラムにおいて、
前記録画装置からコマーシャルを特定するための前記ＣＭコードを受け取り、前記ＣＭコードに該当する前記関連情報を検索するステップと、
前記ＣＭコードに該当した前記関連情報を前記録画装置に提供するステップと
を具備する
情報提供プログラム。
【請求項６４】
請求項６１乃至６３のいずれか一項に記載の情報提供プログラムにおいて、
前記録画装置で実行された前記コマーシャルの録画又は再生の実行日時を示す視聴ログを前記記憶部に保存するステップと、
前記視聴ログに基づいてマーケティング用データを作成するステップと
を具備する
情報提供プログラム。
【発明の詳細な説明】
【技術分野】
【０００１】
本発明は、コマーシャル放送におけるマーケティング情報収集システム、マーケティング情報収集方法、録画装置、録画方法、録画プログラム、情報提供装置、情報提供方法、及び情報提供プログラムに関する。
【背景技術】
【０００２】
近年、民生用の放送番組録画装置として、ハードディスクを用いた録画装置（以下ＨＤＤレコーダと称する）が急速に普及している。このようなＨＤＤレコーダは、従来のビデオテープを用いた装置に比較して、装置内に長時間録画でき、且つ録画内容の検索や早送り・巻戻しを素早く行うことができる。更に、インターネットを介して提供されている番組の放送情報を取得して録画予約できるものもあり、大変利便性の高いものとなっている。
【０００３】
一方、放送したコマーシャルの視聴情報をスポンサー企業のマーケティング情報として利用するという考え方が従来からある。例えば、コマーシャルの放送タイムテーブルと商品紹介サイトのＵＲＬ（Ｕｎｉｆｏｒｍ  Ｒｅｓｏｕｒｃｅ  Ｌｏｃａｔｏｒ）といった商品情報を格納したサーバを提供し、そのサーバに対する視聴者からのアクセス履歴をマーケティング情報として広告代理店に送信するシステムがある（特許文献１）。
このシステムでは、視聴者はテレビで気になるコマーシャルを視聴した際に、携帯電話から商品情報を提供しているサーバにアクセスして視聴したコマーシャルに関するＵＲＬを入手し、商品紹介サイトにアクセスして詳細な商品情報を得ることができる。
【０００４】
しかし、前記システムでは、サーバは、視聴者からのアクセス時刻付近に放送されたコマーシャルの商品関連情報を、視聴者に提供している。このため視聴者は、コマーシャルを視聴した時刻にサーバにアクセスしないと、必要な商品情報を得ることができないという問題がある。近年は上述したＨＤＤレコーダの長時間録画や視聴利便性の高さによって、番組を放送時間に見ずに録画してから見るという視聴形態が広まりつつあり、前記システムでは、視聴者は録画したコマーシャルの視聴時には詳細な商品情報を的確に得ることができず、またマーケティングデータとして得られる情報も、リアルタイムでコマーシャルを視聴した視聴者に関してしか得ることができない。
【０００５】
また、コマーシャルは短時間に充実した内容を持つ高品質のコンテンツであるため、コマーシャルを録画保存して楽しむという視聴者も多くいる。しかしながら従来の録画装置では、番組単位の予約録画しか行うことができない。そのため、視聴者は録画後に録画映像の中からコマーシャルを探さなければならず、ＨＤＤレコーダを利用したとしても快適にコマーシャルを視聴することは難しかった。
【０００６】
【特許文献１】特開２００３−８７８２７号公報
【発明の開示】
【発明が解決しようとする課題】
【０００７】
本発明の目的は、視聴者が所望するコマーシャルを視聴できる録画装置、録画方法及び録画プログラムと、録画したコマーシャルの視聴時にも商品情報を提供することのできる情報提供装置、情報提供方法及び情報提供プログラムと、録画されたコマーシャルの視聴情報を含む有用なマーケティング情報を得ることのできるマーケティング情報収集システム及びマーケティング情報収集方法を提供することである。
本発明の他の目的は、録画装置は当該装置にコマーシャルの録画再生日時を記録して視聴ログとして情報提供装置に送信するマーケティング情報収集システム及びマーケティング情報収集方法を提供することである。
本発明の他の目的は、コマーシャルの作成を広告代理店に依頼するスポンサーが、コマーシャルとして紹介する内容の詳細情報を示すスポンサーサイトを作成し、情報提供装置は関連情報にスポンサーサイトを参照するためのアドレス情報を含めて録画装置に提供し、録画装置はアドレス情報に記されたスポンサーサイトを参照した日時を記録して、視聴ログとして情報提供装置に送信するマーケティング情報収集システム及びマーケティング情報収集方法を提供することである。
本発明の他の目的は、コマーシャルには当該コマーシャルを示すＣＭコードが含まれており、録画装置はコマーシャルを録画するときにＣＭコードを視聴ログとして記録し、コマーシャルの録画再生日時はＣＭコード毎に記録するマーケティング情報収集システム及びマーケティング情報収集方法を提供することである。
本発明の他の目的は、情報提供装置は録画装置を使用する視聴者の属性情報を保存しており、広告代理店に視聴ログとともに属性情報を提供するマーケティング情報収集システム及びマーケティング情報収集方法を提供することである。
本発明の他の目的は、ＣＭ（コマーシャル）コードデコーダで放送波からＣＭコードを検出したときにコマーシャルの録画及びＣＭ視聴ログの保存を行い、視聴者は録画ＣＭを選択して再生するときに視聴ログに保存されている録画されたコマーシャルの一覧を表示する録画装置、録画方法及び録画プログラムを提供することである。
本発明の他の目的は、記憶装置にはコマーシャルの関連情報が保存され、視聴者は入力装置を用いて視聴したいコマーシャルのキーワードを入力すると、関連情報の中にキーワードを含んだコマーシャルを録画又は再生する録画装置、録画方法及び録画プログラムを提供することである。
本発明の他の目的は、コマーシャルの関連情報及びコマーシャルの放送スケジュールを入手する手段を備え、キーワードを含んだコマーシャルを録画する場合には放送スケジュールに基づいて予約録画を行う録画装置、録画方法及び録画プログラムを提供することである。
本発明の他の目的は、コマーシャルの関連情報に、コマーシャルの詳細な商品情報が記載されたスポンサーサイトを参照するためのアドレス情報を含み、視聴者は録画ＣＭの選択再生時にアドレス情報を用いてスポンサーサイトを参照できる録画装置、録画方法及び録画プログラムを提供することである。
本発明の他の目的は、コマーシャルを録画する録画装置におけるコマーシャルの録画又は再生時に、当該録画又は再生が行われるコマーシャルに対応するＣＭ関連情報を録画装置に提供する情報提供装置、情報提供方法及び情報提供プログラムを提供することである。
本発明の他の目的は、録画装置からコマーシャルを特定するためのキーワードを受け取ると、当該キーワードに該当するＣＭ関連情報を検索し、該当したＣＭ関連情報を録画装置に提供する情報提供装置、情報提供方法及び情報提供プログラムを提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００９】
本発明のマーケティング情報収集システムは、コマーシャルを放送する放送局（１２）と、前記放送局（１２）が放送した前記コマーシャルを録画再生する録画装置（１５）と、前記録画装置（１５）が前記コマーシャルを録画再生するときに前記コマーシャルの関連情報（２９）を前記録画装置（１５）に提供する情報提供装置（１４）とを有する。
前記録画装置（１５）は前記コマーシャルの録画再生日時を記録して視聴ログ（３０）として前記情報提供装置（１４）に送信する。
【００１０】
本発明のマーケティング情報収集システムは、前記コマーシャルとして紹介する内容の詳細情報を示すスポンサーサイト（１３）を有し、前記情報提供装置（１４）は、前記関連情報（２９）に前記スポンサーサイト（１３）を参照するためのアドレス情報を含めて前記録画装置（１５）に提供し、前記録画装置（１５）は、前記アドレス情報に記された前記スポンサーサイト（１３）を参照した日時を記録して、前記視聴ログ（３０）として前記情報提供装置（１４）に送信する。
【００１１】
前記コマーシャルは前記コマーシャルを示すＣＭコード（２２）を含み、前記録画装置（１５）は、前記コマーシャルを録画するときに前記ＣＭコード（２２）を前記視聴ログ（３０）として記録し、前記コマーシャルの録画再生日時は前記ＣＭコード（２２）毎に記録される。
【００１２】
本発明のマーケティング情報収集システムにおいて、前記録画装置（１５）は、前記ＣＭコード（２２）が電子透かしの形式で埋め込まれた前記コマーシャルを受信する。
【００１３】
本発明のマーケティング情報収集システムにおいて、前記コマーシャルを作成した広告代理店（１１）を有し、前記情報提供装置（１４）は前記録画装置（１５）を使用する視聴者の属性情報（５７）を保存しており、前記広告代理店（１１）に前記視聴ログ（３０）とともに前記属性情報（５７）を提供する。
【００１４】
本発明のマーケティング情報収集方法は、放送局（１２）がコマーシャルを放送するステップと、録画装置（１５）が前記コマーシャルを録画再生してその録画再生日時を視聴ログ（３０）として記録するステップと、情報提供装置（１４）が前記コマーシャルの関連情報（２９）を前記録画装置（１５）に提供するステップと、前記録画装置（１５）が前記視聴ログ（３０）を前記情報提供装置（１４）に提供するステップとを具備する。
【００１５】
また、本発明のマーケティング情報収集方法は、前記情報提供装置（１４）が、前記コマーシャルの内容の詳細情報を示すスポンサーサイト（１３）を参照するためのアドレス情報を前記関連情報（２９）に含めて前記録画装置（１５）に提供するステップと、前記録画装置（１５）が、前記アドレス情報に記された前記スポンサーサイト（１３）を参照した日時を記録して、前記視聴ログ（３０）として前記情報提供装置（１４）に送信するステップとを具備するマーケティング情報収集方法。
【００１６】
また、本発明のマーケティング情報収集方法では、前記コマーシャルは前記コマーシャルを示すＣＭコード（２２）を含み、前記録画装置（１５）は前記コマーシャルを録画するときに前記ＣＭコード（２２）を前記視聴ログ（３０）として記録し、前記コマーシャルの録画再生日時を前記ＣＭコード（２２）毎に記録するステップを具備する。
【００１７】
本発明の録画装置（１５）は、コマーシャル及び前記コマーシャルを示すＣＭコード（２２）を含んだ放送信号を受信する放送信号受信部（４２）と、前記放送信号受信部（４２）で受信した前記放送信号から前記ＣＭコード（２２）を検出するＣＭコード検出部（４３）と、前記コマーシャルの動画情報である録画ＣＭ（５２）及び前記ＣＭコード（２２）を含む視聴ログ（３０）を保存する記憶部（４６）とを具備し、前記記憶部（４６）は、前記ＣＭコード検出部（４３）で前記放送信号から前記ＣＭコード（２２）を検出したときに前記コマーシャルの録画及び前記視聴ログ（３０）の保存を行う。
【００１８】
本発明の録画装置（１５）は、視聴者が前記記憶部（４６）に保存された前記録画ＣＭ（５２）を選択して再生する旨の指示を入力するための再生指示入力部（４７）と、表示装置（１６）に接続され、前記録画ＣＭ（５２）を前記表示装置（１６）で表示できる形式に変換して前記表示装置（１６）に表示する映像音声出力部（４９）とを具備し、前記映像音声出力部（４９）は、前記再生指示入力部（４７）で選択された前記録画ＣＭ（５２）を再生する。
【００１９】
前記映像音声出力部（４９）は、前記録画ＣＭ（５２）を選択再生するときに前記視聴ログ（３０）に保存されている前記録画ＣＭ（５２）の一覧を前記表示装置（１６）に表示する。
【００２０】
前記再生指示入力部（４７）は、前記ＣＭコード（２２）の指定によって再生する前記録画ＣＭ（５２）を選択する。
【００２１】
録画する前記コマーシャルを指定する録画指示入力部（４７）を具備し、前記記憶部（４６）は、前記録画指示入力部（４７）で指定された前記コマーシャルのみ保存する。
【００２２】
前記コマーシャルの関連情報（２９）を取得する関連情報取得部（４８）を具備し、前記記憶部（４６）は、前記関連情報（２９）を保存する。
【００２３】
前記再生指示入力部（４７）は、視聴したい前記コマーシャルのキーワードを入力し、前記映像音声出力部（４９）は、前記関連情報（２９）の中に前記キーワードを含んだ前記コマーシャルを再生する。
【００２４】
前記再生指示入力部（４７）は、視聴したい前記コマーシャルのキーワードを入力し、前記記憶部（４６）は、前記関連情報（２９）の中に前記キーワードを含んだ前記コマーシャルを録画する。
【００２５】
前記関連情報（２９）は、前記コマーシャルの放送スケジュール（２６）を含み、前記記憶部（４６）は、前記キーワードを含んだ前記コマーシャルを録画する場合、前記放送スケジュール（２６）に基づいて予約録画を行う。
【００２６】
前記コマーシャルの詳細な商品情報（２３）が記載されたスポンサーサイト（１３）を参照するための通信部を具備し、前記関連情報（２９）は、前記スポンサーサイト（１３）のアドレス情報を含み、前記通信部は、前記録画ＣＭ（５２）の再生時に前記アドレス情報を用いて前記スポンサーサイト（１３）を参照する。
【００２７】
前記記憶部（４６）は、取り外して持ち運びや交換ができる。
【００２８】
前記ＣＭコード（２２）は、前記コマーシャルの動画情報に電子透かしの形式で埋め込まれている。
【００２９】
前記コマーシャルの動画情報と前記ＣＭコード（２２）は、異なる前記記憶部（４６）に保存される
【００３０】
本発明の録画装置（１５）では、前記視聴者が前記入力部を用いて前記キーワードを入力するキーワード指定欄（６０）と、前記キーワードに対する検索結果を表示する検索結果表示欄（６２）と、  前記動画情報を表示するＣＭ動画表示部（６１）と、前記関連情報（２９）の一部又は全部を表示する関連情報表示欄（６３）と、前記スポンサーサイト（１３）を表示させるためのスポンサーサイト参照ボタン（６４）とを有するＣＭ視聴画面（１０１）が前記表示装置（１６）に表示される。
【００３１】
本発明の録画装置（１５）では、前記スポンサーサイト（１３）を表示するスポンサーサイト表示部（６５）と、前記視聴者が前記入力部（４７）を用いて操作する表示画面操作部（６６）とを有する詳細情報表示画面（１０２）が前記表示装置（１６）に表示される。
【００３２】
前記録画ＣＭ（５２）の一覧を表示する録画ＣＭ一覧表示部（６７）と、前記一覧から選択された前記録画ＣＭ（５２）を参照するためのＣＭ参照ボタン（６８）とを有するＣＭ選択画面（１０３）が前記表示装置（１６）に表示される。
【００３３】
前記録画ＣＭ一覧表示部（１０３）は、前記録画ＣＭ（５２）の録画日時を表示する録画日時欄と、前記録画ＣＭ（５２）の前記関連情報（５３）の有無を示す情報欄と、前記関連情報（５３）が存在する場合に前記録画ＣＭ（５２）のタイトルを表示するタイトル欄との少なくとも一つを備える。
【００３４】
本発明の録画方法は、コマーシャル及び前記コマーシャルを示すＣＭコード（２２）を含んだ放送信号を受信するステップと、前記放送信号から前記ＣＭコード（２２）を検出するステップと、前記コマーシャルの動画情報である録画ＣＭ（５２）及び前記コマーシャルのＣＭコード（２２）を含む視聴ログを記憶部（４６）に保存するステップと、前記放送信号から前記ＣＭコード（２２）を検出したときに前記コマーシャルの録画及び前記視聴ログ（３０）の保存を行うステップとを具備する。
【００３５】
本発明の録画方法は、前記録画ＣＭ（５２）を表示装置で表示できる形式に変換するステップと、前記記憶部（４６）に保存された前記録画ＣＭ（５２）を再生するステップとを具備する。
【００３６】
本発明の録画方法は、前記録画ＣＭ（５２）を再生するときに前記視聴ログ（３０）に保存されている前記録画ＣＭ（５２）の一覧を前記表示装置（１６）に表示するステップを具備する。
【００３７】
本発明の録画方法は、前記ＣＭコード（２２）の指定に従って再生する前記録画ＣＭ（５２）を選択するステップを具備する。
【００３８】
本発明の録画方法は、録画する前記コマーシャルを指定するステップと、前記指定された前記コマーシャルのみ保存するステップとを具備する。
【００３９】
本発明の録画方法は、前記コマーシャルの関連情報（２９）を取得するステップと、前記関連情報（２９）を前記記憶部（４６）に保存するステップとを具備する。
【００４０】
本発明の録画方法は、前記関連情報（２９）の中に特定のキーワードを含んだ前記コマーシャルを録画又は再生するステップを具備する。
【００４１】
本発明の録画方法において、前記関連情報（２９）は、前記コマーシャルの放送スケジュール（２６）を含み、前記キーワードを含んだ前記コマーシャルを録画する場合、前記放送スケジュール（２６）に基づいて予約録画を行うステップを具備する。
【００４２】
本発明の録画方法において、前記関連情報（２９）は、前記コマーシャルの詳細な商品情報が記載されたスポンサーサイト（１３）のアドレス情報を含み、前記録画ＣＭ（５２）の再生時に前記アドレス情報を用いて前記スポンサーサイト（１３）を参照するステップを具備する。
【００４３】
本発明の録画方法は、コマーシャルの視聴者を特定するための視聴者ＩＤ（２７）及び前記キーワードを示すキーワード情報（２８）を情報提供装置（１４）に送信するステップを具備する。
【００４４】
本発明の録画方法は、前記キーワード情報（２８）に基づいて前記コマーシャルの関連情報（２９）を前記情報提供装置（１４）に問い合わせるステップと、前記情報提供装置（１４）から取得した前記関連情報（２９）を記憶部（４６）に保存するステップとを具備する。
【００４５】
本発明の録画方法は、前記コマーシャルの録画又は再生の実行日時を前記関連情報（２９）に含まれる前記ＣＭコード（２２）と関連付けて前記視聴ログ（３０）として記憶部（４６）に保存するステップを具備する。
【００４６】
本発明の録画方法は、前記関連情報（２９）に含まれるスポンサーサイト（１３）のアドレス情報を参照して前記スポンサーサイト（１３）へアクセスするステップと、前記視聴者ＩＤ（２２）及び前記視聴ログ（３０）を前記情報提供装置（１４）に送信するステップとを具備する。
【００４７】
本発明の録画方法は、前記動画情報と前記ＣＭコード（２２）を、異なる前記記憶部（４６）に保存するステップを具備する。
【００４８】
本発明の録画プログラムは、コマーシャル及び前記コマーシャルを示すＣＭコード（２２）を含んだ放送信号を受信するステップと、前記放送信号から前記ＣＭコード（２２）を検出するステップと、前記コマーシャルの動画情報である録画ＣＭ（５２）及び前記ＣＭコード（２２）を含む視聴ログを記憶部（４６）に保存するステップと、前記放送信号から前記ＣＭコード（２２）を検出したときに前記コマーシャルの録画及び前記視聴ログ（３０）の保存を行うステップとを具備する。
【００４９】
本発明の録画プログラムは、前記録画ＣＭ（５２）を表示装置で表示できる形式に変換するステップと、前記記憶部（４６）に保存された前記録画ＣＭ（５２）を再生するステップとを具備する。
【００５０】
本発明の録画プログラムは、前記録画ＣＭ（５２）を再生するときに前記視聴ログ（３０）に保存されている前記録画ＣＭ（５２）の一覧を前記表示装置（１６）に表示するステップを具備する。
【００５１】
本発明の録画プログラムは、前記ＣＭコード（２２）の指定に従って再生する前記録画ＣＭ（５２）を選択するステップを具備する。
【００５２】
本発明の録画プログラムは、録画する前記コマーシャルを指定するステップと、前記指定された前記コマーシャルのみ保存するステップとを具備する。
【００５３】
本発明の録画プログラムは、前記コマーシャルの関連情報（２９）を取得するステップと、前記関連情報（２９）を前記記憶部（４６）に保存するステップとを具備する。
【００５４】
本発明の録画プログラムは、前記関連情報（２９）の中に特定のキーワードを含んだ前記コマーシャルを録画又は再生するステップを具備する。
【００５５】
本発明の録画プログラムにおいて、前記関連情報（２９）は、前記コマーシャルの放送スケジュール（２６）を含み、前記キーワードを含んだ前記コマーシャルを録画する場合、前記放送スケジュール（２６）に基づいて予約録画を行うステップを具備する。
【００５６】
本発明の録画プログラムにおいて、前記関連情報（２９）は、前記コマーシャルの詳細な商品情報（２３）が記載されたスポンサーサイト（１３）のアドレス情報を含み、前記録画ＣＭ（５２）の再生時に前記アドレス情報を用いて前記スポンサーサイト（１３）を参照するステップを具備する。
【００５７】
本発明の録画プログラムは、コマーシャルの視聴者を特定するための視聴者ＩＤ（２７）及び前記キーワードを示すキーワード情報（２８）を情報提供装置（１４）に送信するステップを具備する。
【００５８】
本発明の録画プログラムは、前記キーワード情報（２８）に基づいて前記コマーシャルの関連情報（２９）を前記情報提供装置（１４）に問い合わせるステップと、前記情報提供装置（１４）から取得した前記関連情報（２９）を記憶部（４６）に保存するステップとを具備する。
【００５９】
本発明の録画プログラムは、前記コマーシャルの録画又は再生の実行日時を前記関連情報（２９）に含まれる前記ＣＭコード（２２）と関連付けて前記視聴ログ（３０）とするステップを具備する。
【００６０】
本発明の録画プログラムは、前記視聴者ＩＤ（２２）及び前記視聴ログ（３０）を前記情報提供装置（１４）に送信するステップとを具備する。
【００６１】
本発明の録画プログラムは、前記動画情報と前記ＣＭコード（２２）を、異なる前記記憶部（４６）に保存するステップを具備する。
【００６２】
本発明の情報提供装置（１４）は、コマーシャルのＣＭコード（２２）及び放送スケジュール（２６）を含んだ関連情報（２９）を保存する記憶部（５５）と、前記コマーシャルを録画する録画装置（１５）と通信する通信部（５４）と、前記録画装置（１５）における前記コマーシャルの録画又は再生時に、前記関連情報（２９）を前記記憶部（５５）から取得する情報取得部（５４）とを具備する。
前記通信部（５４）は、前記取得した関連情報（２９）を前記録画装置（１５）に提供する。
【００６３】
本発明の情報提供装置（１４）は、前記録画装置（１５）からコマーシャルを特定するためのキーワードを受け取り、前記キーワードに該当する前記関連情報（２９）を検索するキーワード検索部（５４）を具備する。
前記通信部（５４）は、前記キーワードに該当した前記関連情報（２９）を前記録画装置（１５）に提供する。
【００６４】
本発明の情報提供装置（１４）は、前記録画装置（１５）からコマーシャルを特定するための前記ＣＭコード（２２）を受け取り、前記ＣＭコード（２２）に該当する前記関連情報（２９）を検索するＣＭコード検索部（５４）を具備し、
前記通信部（５４）は、前記ＣＭコード（２２）に該当した前記関連情報（２９）を前記録画装置（１５）に提供する。
【００６５】
本発明の情報提供方法は、コマーシャルのＣＭコード（２２）及び放送スケジュール（２６）を含んだ関連情報（２９）を記憶部（５５）に保存するステップと、前記コマーシャルを録画又は再生する録画装置（１５）と通信するステップと、前記録画装置（１５）における前記コマーシャルの録画又は再生時に、前記関連情報（２９）を前記記憶部（５５）から取得するステップとを具備する。
【００６６】
本発明の情報提供方法は、前記録画装置（１５）からコマーシャルを特定するためのキーワードを受け取り、前記キーワードに該当する前記関連情報（２９）を検索するステップと、前記キーワードに該当した前記関連情報（２９）を前記録画装置（１５）に提供するステップとを具備する。
【００６７】
本発明の情報提供方法は、前記録画装置（１５）からコマーシャルを特定するための前記ＣＭコード（２２）を受け取り、前記ＣＭコード（２２）に該当する前記関連情報（２９）を検索するステップと、前記ＣＭコード（２２）に該当した前記関連情報（２９）を前記録画装置（１５）に提供するステップとを具備する。
【００６８】
本発明の情報提供方法は、前記録画装置（１５）で実行された前記コマーシャルの録画又は再生の実行日時を示す視聴ログ（３０）を前記記憶部（５５）に保存するステップと、前記視聴ログ（３０）に基づいてマーケティング用データ（３１）を作成するステップとを具備する。
【００６９】
本発明の情報提供プログラムは、コマーシャルのＣＭコード（２２）及び放送スケジュール（２６）を含んだ関連情報（２９）を記憶部（５５）に保存するステップと、前記コマーシャルを録画又は再生する録画装置（１５）と通信するステップと、前記録画装置（１５）における前記コマーシャルの録画又は再生時に、前記関連情報（２９）を前記記憶部（５５）から取得するステップとを具備する。
【００７０】
本発明の情報提供プログラムは、前記録画装置（１５）からコマーシャルを特定するためのキーワードを受け取り、前記キーワードに該当する前記関連情報（２９）を検索するステップと、前記キーワードに該当した前記関連情報（２９）を前記録画装置（１５）に提供するステップとを具備する。
【００７１】
本発明の情報提供プログラムは、前記録画装置（１５）からコマーシャルを特定するための前記ＣＭコード（２２）を受け取り、前記ＣＭコード（２２）に該当する前記関連情報（２９）を検索するステップと、前記ＣＭコード（２２）に該当した前記関連情報（２９）を前記録画装置（１５）に提供するステップとを具備する。
【００７２】
本発明の情報提供プログラムは、前記録画装置（１５）で実行された前記コマーシャルの録画又は再生の実行日時を示す視聴ログ（３０）を前記記憶部（５５）に保存するステップと、前記視聴ログ（３０）に基づいてマーケティング用データ（３１）を作成するステップとを具備する。
【発明の効果】
【００７３】
本発明の録画装置によれば、受信・録画したＣＭ（コマーシャル）についてはそのＣＭコードを保存しておくので、視聴者は録画ＣＭから視聴したいＣＭを検索する際にＣＭコードを利用してＣＭ関連情報を得ることで、目的のＣＭを簡単に見つけることができる。また、録画装置内に録画されていないＣＭに関しては、放送スケジュールを用いて新たに録画することができる。更にキーワードを用いて検索を行い、録画装置内に録画されていないＣＭに関しては放送スケジュールを用いて予約録画を行うこともできる。更に、録画ＣＭの視聴時にはスポンサーサイトへアクセスして、ＣＭ内容に関する詳細な情報を得ることもできる。
【００７４】
また、本発明の情報提供装置によれば、視聴者がＣＭを見るときに、そのＣＭに対応する情報（ＣＭを示すキーワード情報又はＣＭコード）を録画装置から受け取ることで、視聴者の希望するタイミングでＣＭ関連情報を提供することができる。
【００７５】
また、本発明のマーケティング情報収集システム及び収集方法によれば、ＣＭの録画日時や再生日時、及びスポンサーサイトへのアクセス日時といった、録画されたＣＭに対する視聴者の行動を示す視聴ログがマーケティング用データとして用いられる。更に、視聴ログを視聴者属性情報とともに提供することもできるため、視聴者が実際にいつ、どんなＣＭを見て、商品に興味を持ったのかが判別できる、有用なマーケティング情報を得ることができる。
【発明を実施するための最良の形態】
【００７６】
本発明について、図面を参照して詳細に説明する。
以下、図１を用いて、本発明の実施の形態について詳細に説明する。
本発明の第１実施形態は、後述する本発明の録画装置と情報提供装置を利用して、視聴者のコマーシャル（以下ＣＭと略す）視聴履歴に関するマーケティング情報を収集するものである。
図１に示す本発明の第１実施形態のマーケティング情報収集システム１００は、スポンサー１０と、広告代理店１１と、放送局１２と、スポンサーサイト１３と、ＣＭ情報提供装置１４と、録画装置１５を備えている。
なお、スポンサー１０と、広告代理店１１と、放送局１２と、スポンサーサイト１３と、ＣＭ情報提供装置１４と、録画装置１５は、各々が有する通信装置により各種データの送受信を行う。ここではスポンサーサイト１３は独立したＷＷＷサーバ上にあるものとしているが、スポンサー１０がスポンサーサイト１３を含んでいる場合もある。
【００７７】
スポンサー１０は、広告代理店１１に商品情報２１とＣＭコード２２を提供し、スポンサーサイト１３に商品詳細情報２３を提供する。
【００７８】
商品情報２１はＣＭで扱われる商品に関する情報である。
ＣＭコード２２は、社団法人日本民間放送連盟と社団法人日本広告業協会が共同設立した任意団体である「共通コード管理センター」により管理されるＣＭのＩＤナンバーであり、広告主のスポンサー１０によって設定されるものである。そして、ＣＭコード２２は、アナログ放送の場合は垂直同期期間に重畳し、デジタル放送の場合はＣＭ映像に電子透かしの形式で埋め込むことになっている。
商品詳細情報２３は商品情報２１よりも詳細な商品情報である。
【００７９】
広告代理店１１は、スポンサー１０にマーケティング情報３２を提供し、放送局１２にＣＭ２５を提供し、ＣＭ情報提供装置１４にＣＭメタ情報２４とＣＭコード２２を提供する。ＣＭメタ情報２４は商品情報２１を基に作成された情報である。
【００８０】
放送局１２は、ＣＭ情報提供装置１４にＣＭスケジュール情報２６を提供し、録画装置１５にＣＭ放送を提供する。ＣＭスケジュール情報２６は、ＣＭの放送スケジュールを示す情報である。
【００８１】
スポンサーサイト１３は、商品詳細情報２３を掲載する。
【００８２】
ＣＭ情報提供装置１４は、録画装置１５にＣＭ関連情報２９を提供し、広告代理店１１にマーケティング用データ３１を提供する。
なお、ＣＭ関連情報２９は、ＣＭコード２２、ＣＭメタ情報２４、及びＣＭスケジュール情報２６を含んでいる。マーケティング用データ３１は、視聴者ＩＤ２７に対応する視聴者属性情報とＣＭ視聴ログ３０から作成される。視聴者ＩＤ２７は、視聴者を特定するための情報である。ＣＭ視聴ログ３０は視聴者が行ったＣＭの録画・再生の日時をＣＭコード２２と関連付けて記録した情報である。マーケティング用データ３１からスポンサーの求めるマーケティング情報３２が作成される。
【００８３】
録画装置１５は、スポンサーサイト１３のＵＲＬを参照し、サイトアクセスを行う。
このとき、録画装置１５は、ＣＭ情報提供装置１４に視聴者ＩＤ２７とＣＭ視聴ログ３０をＣＭ情報提供装置１４に送信する。
また、録画装置１５は、ＣＭ情報提供装置１４にＣＭ関連情報２９の問い合わせを行う際、視聴者ＩＤ２７とキーワード情報２８をＣＭ情報提供装置１４に送信する。
【００８４】
以下、図１及び図２を参照して動作の説明をする。
各端末装置の動作は、各端末装置自体が有する機能による場合と、動作を命令するプログラムによる場合がある。
【００８５】
スポンサー１０は、広告代理店１１に対してＣＭ作成の依頼を行い、ＣＭ素材として商品情報２１とＣＭコード２２を提供する（ステップＳ１）。これとともに、商品詳細情報２３を掲載するスポンサーサイト１３を作成又は更新し、インターネットを介して閲覧できる状態としておく（ステップＳ２）。
【００８６】
広告代理店１１は商品情報２１を基にＣＭ２５とＣＭメタ情報２４を作成する（ステップＳ３）。ここで、ＣＭ２５は、映像情報にＣＭコード２２を含むように作成される。
そして放送局１２にＣＭ２５を提供し（ステップＳ４）、ＣＭ情報提供装置１４にＣＭメタ情報２４とＣＭコード２２を提供する（ステップＳ５）。
【００８７】
放送局１２は、広告代理店１１からＣＭ２５を受け取ると、ＣＭの放送スケジュールを決めて（ステップＳ６）、その放送日時をＣＭスケジュール情報２６としてＣＭ情報提供装置１４に提供する（ステップＳ７）。そしてＣＭ２５を放送波として放送する（ステップＳ８）。
【００８８】
ＣＭ情報提供装置１４は、ＣＭコード２２、ＣＭメタ情報２４、及びＣＭスケジュール情報２６を保存する（ステップＳ９）。
【００８９】
このとき、視聴者は、予めＣＭ情報提供装置１４に利用登録しておき、興味のあるＣＭの放送スケジュールやスポンサーサイト１３のＵＲＬを含むＣＭ関連情報２９を得ることができる状態となっている。利用登録は、録画装置１５が視聴者の性別・生年月日・居住地域といった視聴者属性情報をＣＭ情報提供装置１４に送信することで行われ、ＣＭ情報提供装置１４から視聴者を特定するための視聴者ＩＤ２７が発行されて、録画装置１５に保存される。
【００９０】
視聴者の録画操作により、録画装置１５はＣＭを受信して録画する。ＣＭ情報提供装置１４及び録画装置１５の詳細は後述するが、視聴者自身が興味のあるＣＭを録画又は視聴する場合は、録画装置１５は、視聴者自身が興味のあるＣＭのキーワードについて視聴者からの入力を受け、入力されたキーワードに基づいてＣＭ情報提供装置１４にＣＭ関連情報２９の問い合わせを行う（ステップＳ１０）。
この問い合わせの際に、視聴者ＩＤ２７と、入力されたキーワードを示すキーワード情報２８が録画装置１５からＣＭ情報提供装置１４に送信される。
【００９１】
ＣＭ情報提供装置１４は、キーワード情報２８に適合するＣＭのＣＭコード２２、ＣＭメタ情報２４、及びＣＭスケジュール情報２６を検索し、これらの情報をＣＭ関連情報２９として録画装置１５に提供する（ステップＳ１１）。
【００９２】
録画装置１５では、提供されたＣＭ関連情報２９を保存し（ステップＳ１２）、ＣＭ関連情報２９に含まれるＣＭスケジュール情報２６を参照して視聴者の希望したＣＭを録画する。そして、視聴者は録画されたＣＭを再生する。この録画・再生の実行日時は、ＣＭコードと関連付けられてＣＭ視聴ログ３０として録画装置１５に保存される（ステップＳ１３）。
【００９３】
視聴者がＣＭを視聴した際、商品の詳細な情報を入手したい場合は、録画装置１５に保存されているＣＭ関連情報２９のＣＭメタ情報２４からスポンサーサイト１３のＵＲＬを参照し、スポンサーサイト１３へアクセスする（ステップＳ１４）。このとき、録画装置１５は、視聴者ＩＤ２７とＣＭ視聴ログ３０をＣＭ情報提供装置１４に送信する（ステップＳ１５）。
【００９４】
ＣＭ情報提供装置１４はＣＭ視聴ログ３０を保存し、視聴者ＩＤ２７に対応する視聴者属性情報とＣＭ視聴ログ３０からマーケティング用データ３１を作成して広告代理店１１に提供する（ステップＳ１６）。広告代理店１１は、マーケティング用データ３１からスポンサーの求めるマーケティング情報３２を作成し、スポンサー１０に提供する（ステップＳ１７）。スポンサー１０は、マーケティング情報３２を広告代理店１１から受領する（ステップＳ１８）。
【００９５】
図３に、本実施の形態のＣＭ情報提供装置１４と録画装置１５のブロック図を示す。図示したように、録画装置１５は、スポンサーサイト１３及びＣＭ情報提供装置１４と、インターネット４０を介して接続されている。ディスプレイ１６は、録画装置１５と接続された表示装置である。
録画装置１５は、アンテナ４１と、チューナ４２と、ＣＭコードデコーダ４３と、エンコーダ４４と、ＣＰＵ４５と、ハードディスク４６と、入力装置４７と、ネットワークＩ／Ｆ４８と、映像音声出力部４９と、バス５０とを備えている。
ハードディスク４６は、録画番組５１と、録画ＣＭ５２と、ＣＭ関連情報５３と、ＣＭ視聴ログ３０を保存する。
【００９６】
アンテナ４１とチューナ４２は、放送波を受信するものである。チューナ４２に入力された放送波には、番組やＣＭの映像・音声の他に、ＣＭコード２２が含まれている。
ＣＭコードデコーダ４３は、放送波からＣＭコード２２を取り出すものである。
エンコーダ４４は、放送波に含まれた番組やＣＭの映像・音声をハードディスク４６に保存するために、デジタル動画の形式に変換するものである。
【００９７】
ＣＰＵ４５は、録画装置１５の動作制御を行うもので、記憶装置に格納されたＯＳ、制御プログラム、インターネットブラウザを始めとする各種プログラムを実行し、番組やＣＭの録画予約、録画再生、ＣＭ情報提供装置１４及びスポンサーサイト１３との通信の実行制御を行うものである。ここでは記憶装置としてハードディスク４６を使用しているが、実際には、記憶装置は録画装置１５に内蔵された半導体メモリや取り外し可能なリムーバブルメディアでも良く、ハードディスクに限定するものではない。
【００９８】
ハードディスク４６は、エンコーダ４４から出力された番組やＣＭ１５のデジタル動画、ＣＭ視聴ログ３０、及びＣＭ関連情報５３を保存するものである。録画番組５１は番組の動画データで、録画ＣＭ５２はＣＭの動画データである。ＣＭ関連情報５３はＣＭ情報提供装置１４から提供されるＣＭ関連情報２９のうち、少なくともＣＭコード２２とＣＭメタ情報２４を保存したものである。ＣＭ視聴ログ３０は録画ＣＭ５２のＣＭコード２２や録画再生日時を示し、ＣＭ情報提供装置１４に提供されるものである。
なお、ＣＭの録画とＣＭコード２２の記録は、必ずしも同じ記録媒体で行わなくても良い。
【００９９】
入力装置４７は、リモートコントローラやキーボードといった装置で構成され、録画装置１５に視聴者からの指示を与えるものである。入力装置４７は複数でも良く、例えば録画指示と再生指示において別々の入力装置を用いても良い。
ネットワークＩ／Ｆ（インタフェース）４８は、録画装置１５をインターネット４０に接続し、必要なデータの送受信を行うものである。映像音声出力部４９はディスプレイ１６と接続されており、エンコーダ４４から出力されたデジタル動画や、録画番組５１及び録画ＣＭ５２をディスプレイ１６で表示できる形式に変換し、ディスプレイ１６に表示するものである。
なお、ディスプレイ１６は、録画装置１５と一体となっていても良い。例としては、ＴＶと一体型のビデオレコーダ、ＰＣベースのビデオレコーダ、ＴＶ付き携帯電話が挙げられる。
【０１００】
バス５０は、ＣＭコードデコーダ４３、エンコーダ４４、ＣＰＵ４５、ハードディスク４６、入力装置４７、ネットワークＩ／Ｆ４８、映像音声出力部４９を相互に接続するものである。
【０１０１】
次にＣＭ情報提供装置１４の構成を説明する。ＣＭ情報提供装置１４は、インターネット４０を介して録画装置１５や広告代理店１１及び放送局１２とのデータ送受信を行うサーバ５４と、ＣＭ関連情報２９を格納しているＣＭ関連情報記憶装置５５と、マーケティング用データ３１を格納しているマーケティング用データ記憶装置５６とで構成されている。
本実施例では、サーバ５４はコンピュータであるものとして説明する。但し、実際にはサーバ５４はコンピュータに限定されるものではない。
また、ＣＭ関連情報記憶装置５５とマーケティング用データ記憶装置５６は、サーバ５４と統合しても良い。
【０１０２】
図４に、ＣＭ関連情報記憶装置５５に格納されているＣＭ関連情報２９の一例を示す。ＣＭ関連情報２９は、ＣＭコード２２、ＣＭメタ情報２４、及びＣＭスケジュール情報２６で構成される。前述したようにＣＭコード２２及びＣＭメタ情報２４は広告代理店１１から提供されたもので、ＣＭスケジュール情報２６は放送局１２から提供されたものである。図４は一つのＣＭに関するＣＭ関連情報２９を示したものであり、ＣＭ関連情報記憶装置５５には、放送されるＣＭ本数に相当する数のＣＭ関連情報２９が格納されている。
【０１０３】
ＣＭ関連情報２９のうち、ＣＭコード２２は１０桁の英数字で構成され、ＣＭ１本につき１つのコードが付与されている。ＣＭスケジュール情報２６は、例えば図示したように年月日と時刻・秒数で示され、放送回数が複数回ある場合は、対応した複数回の放送スケジュールが含まれている。
【０１０４】
ＣＭメタ情報２４は、スポンサー１０から提供された商品情報２１にＣＭの作成情報を加えて広告代理店１１で作成されたものである。ＣＭメタ情報２４の構成の一例を以下に示す。
・スポンサー名（企業名、団体名等）
・ＣＭタイトル
・ＣＭ対象（商品名、イベント名、企業名、サービス名、等）
・ＣＭ種別（商品ＣＭ、企業ＣＭ、イベント告知、等）
・放送区分（放送期間、放送地域、等）
・商品種別（食品、飲料、電化製品、医薬品、等）
・クレジット（出演者、監督、音楽家、スタッフ、等）
・撮影情報（撮影場所、撮影日時、等）
・音楽（曲名等）
・訴求ワード（セールス文等）
・スポンサーＵＲＬ（アドレス情報）
・商品ＵＲＬ（アドレス情報）
・ＣＭ画像（ＣＭを示す静止画）
【０１０５】
図５に、マーケティング用データ記憶装置５６に格納されているマーケティング用データ３１の一例を示す。マーケティング用データ３１は、視聴者ＩＤ２７、視聴者属性情報５７、及びＣＭ視聴ログ３０で構成される。
視聴者ＩＤ２７と視聴者属性情報５７は、前述した視聴者のＣＭ情報提供装置１４の利用登録の際に作成されたものである。また、ＣＭ視聴ログ３０は録画装置１５から収集したもので、視聴者がスポンサーサイト１３へアクセスしたＣＭの数だけ複数記録され、視聴者が新たなスポンサーサイト１３を参照する度に追加される。図５は一つの視聴者ＩＤ２７に関するマーケティング用データ３１を示したものであり、マーケティング用データ記憶装置５６には、利用登録した視聴者数に相当する数のマーケティング用データ３１が格納されている。
【０１０６】
続いてＣＭ視聴ログ３０の説明をする。ＣＭ視聴ログ３０は録画装置１５の中でＣＭを録画した際に作成され、ＣＭ録画及び再生時や、スポンサーサイト１３へのアクセス時に更新される。内容は録画ＣＭ５２のＣＭコード２２、録画分類、録画日時、再生日時、アクセス日時で構成される。録画分類は「番組録画」「予約録画」「抽出録画」の３つのうちいずれかが記録される。また、録画日時は対象ＣＭ５２を録画した日時、再生日時は対象ＣＭ５２を再生（視聴）した日時、アクセス日時は視聴者がスポンサーサイト１３にアクセスした日時である。
【０１０７】
本実施の形態では、ＣＭ視聴ログ３０を上記のような構成にすることで、マーケティングデータとして、以下のような内容が判別できる。録画分類からは、例えば視聴者が積極的にＣＭを検索して予約録画したのか、たまたま番組録画で視聴したのかが判別できる。また、録画日時／再生日時／アクセス日時からは、録画されてからどのくらいの期間で視聴者が録画ＣＭ５２を視聴し、更にスポンサーサイト１３へアクセスしたのかが判別できる。よって、これらのデータから、ＣＭ内容に対する視聴者の興味の度合いを計ることができる。
【０１０８】
図６Ａ、図６Ｂは、録画装置１５の動作を示すフローチャートである。始めに、通常の番組録画の際に番組と同時に保存された録画ＣＭ５２を検索し、視聴する場合を説明する。
ステップＳ２１〜ステップＳ２３が通常の番組録画のフローである。録画装置１５は、番組受信中にＣＭコード２２を検出している。放送波の中にＣＭコード２２を検出したとき（即ちＣＭを受信したとき）、ハードディスク４６の中にＣＭコード２２に対応するＣＭ視聴ログ３０が存在しなかった場合は、ＣＭコード２２をキーとして新たなＣＭ視聴ログ３０を作成する（ステップＳ２１、ステップＳ２２）。そして、番組動画を録画番組５１として保存し、ＣＭ動画を録画ＣＭ５２として保存する。このとき、ＣＭ視聴ログ３０にＣＭの録画分類「番組録画」と録画日時を記録する。また、番組のタイトルは番組情報としてハードディスク４６に保存する（ステップＳ２３）。
【０１０９】
なお、ＣＭ動画の録画はＣＭコード２２の検出時に限定するものではなく、ＣＭ動画の録画自体は連続的に行い、ＣＭコード２２を検出したときにＣＭコード２２を記録するようにしても良い。
【０１１０】
このように番組を録画したとき、視聴者は録画ＣＭ５２にどんなＣＭが保存されているか知らない。そのため保存済みの録画ＣＭ５２の中から興味のあるＣＭを検索する際は、入力装置４７を用いて録画装置１５を「ＣＭ視聴モード」に切り替え、ＣＭのキーワードを指定する（ステップＳ２４）。キーワードは図４に示したメタ情報に記載された内容を想像して指定すれば良い。例えば、自動車のＣＭを検索したい場合は「車」というキーワードを、特定のタレントが出演しているＣＭを検索したい場合はタレント名をキーワードとして指定する。
【０１１１】
視聴者によってＣＭのキーワードが指定されると、録画装置１５からＣＭ情報提供装置１４に視聴者ＩＤ２７とキーワード情報２８が送信される（ステップＳ２５）。ＣＭ情報提供装置１４は、視聴者ＩＤ２７がマーケティング用データ記憶装置５６に登録されているかどうかを確認し、登録済みのものであればＣＭ関連情報記憶装置５５に格納されたＣＭメタ情報２４を参照してキーワードに該当するＣＭを検索し、そのＣＭのＣＭコード２２、ＣＭメタ情報２４、及びＣＭスケジュール情報２６をＣＭ関連情報２９として送信する。
【０１１２】
このとき、キーワードに該当するＣＭが複数存在した場合は、複数のＣＭ関連情報２９を送信する。このとき、該当した全てのＣＭ関連情報２９を送っても良いし、販売終了した商品のＣＭの関連情報は送らないなど、一部のＣＭ関連情報２９だけ提供するようにしても良い。録画装置１５はＣＭ関連情報２９を受信すると（ステップＳ２６）、ハードディスク４６に保存された視聴ログ３０の中から、受信したＣＭコード２２と一致するＣＭコードの視聴ログ３０をサーチする（ステップＳ２７）。
一致するＣＭコード２２を持つ視聴ログ３０が見つかった場合は、次にハードディスク４６に保存されたＣＭ関連情報５３の中から、受信したＣＭコード２２と一致するＣＭコードのＣＭメタ情報２４が保存されているか調べる（ステップＳ２８）。受信したＣＭコード２２に対応するＣＭメタ情報２４が存在した場合はＣＭコード２２に対応する録画ＣＭ５２を再生し、視聴ログ３０に再生日時を記録する（ステップＳ３０）。処理ステップＳ２８でＣＭメタ情報２４が存在しなかった場合は、受信したＣＭコード２２とＣＭメタ情報２４を、ＣＭ関連情報５３として保存する（ステップＳ２９）。
【０１１３】
ステップＳ２７で、ハードディスク４６の視聴ログ３０から受信したＣＭコード２２と一致するＣＭコードが見つからなかった場合は、録画済みの録画ＣＭ５２には視聴者が希望したＣＭが保存されていないということになる。この場合、録画装置１５は視聴者に、後述するＣＭの予約録画を行うかどうか問い合わせる（ステップＳ３１）。予約録画を行わない場合は処理が終了する（ステップＳ３２）。
【０１１４】
次に、視聴者が番組ではなく興味のあるＣＭを録画する場合を説明する。ここで、ＣＭには予め放送スケジュールが決定しているものと、具体的な放送スケジュールが決定していないものがある。本実施の形態では放送スケジュールが決定しているＣＭの録画を「予約録画」、決定していないＣＭの録画を「抽出録画」として説明する。
【０１１５】
視聴者がＣＭの録画設定操作を行う場合には、入力装置４７を用いて録画装置１５を「ＣＭ録画設定モード」に切り替える。次に視聴者はＣＭのキーワードを指定して該当するＣＭ関連情報２９をＣＭ情報提供装置１４から受信するが、これらの処理ステップＳ３３〜ステップＳ３５は前述の処理ステップＳ２４〜ステップＳ２６と同様であるので、説明を省略する。
【０１１６】
続いて、受信したＣＭ関連情報２９に含まれているＣＭスケジュール情報２６を参照する（ステップＳ３６）。なお、前述の処理ステップＳ３１で予約録画を行うことにした場合は、自動的に「ＣＭ録画設定モード」に切り替わり、当該処理ステップＳ３６に遷移する。ＣＭスケジュール情報２６を参照して放送スケジュールが確定していた場合は、視聴者の希望する放送日時を選択し（ステップＳ３７）、ＣＭコード２２とＣＭメタ情報２４をＣＭ関連情報５３として保存する（ステップＳ３８）。そして、録画装置１５は録画スタンバイ状態となる（ステップＳ３９）。
【０１１７】
その後、録画装置１５は視聴者が選択した放送スケジュールに従ってＣＭを受信し（ステップＳ４０）、処理ステップＳ２２と同様のＣＭコード２２の検出とＣＭ視聴ログ３０の作成を行い（ステップＳ４１）、ＣＭ動画を録画ＣＭ５２として保存する。このとき、ＣＭ視聴ログ３０にＣＭの録画分類「予約録画」と録画日時を記録する（ステップＳ４２）。
【０１１８】
処理ステップＳ３６で受信したＣＭスケジュール情報２６の中に有効なスケジュールが無かった場合、録画装置１５は視聴者に抽出録画を行うかどうか問い合わせる（ステップＳ４３）。抽出録画とは、放送波を継続的に受信し、受信した放送波の中にキーワードに該当したＣＭコード２２を検出した場合、ＣＭ動画を保存する録画方法である。
【０１１９】
視聴者が抽出録画を行うことを決めた場合、ＣＭコード２２とＣＭメタ情報２４をＣＭ関連情報５３として保存する（ステップＳ４４）。そして引き続き、視聴者に抽出録画をすぐに開始するかどうか問い合わせる（ステップＳ４５）。すぐに開始する場合はＣＭの受信を開始する（ステップＳ４６）。処理ステップＳ４７ではＣＭコード２２の検出とＣＭ視聴ログ３０の作成を行うが、抽出録画の場合はＣＭ関連情報２９として受信したＣＭコード２２と一致するＣＭコード２２が放送波の中にあった場合に行う（ステップＳ４７）。そして、希望するＣＭが放送されていた場合はそのＣＭ動画を録画ＣＭ５２として保存する。このとき、ＣＭ視聴ログ３０にＣＭの録画分類「抽出録画」と録画日時を記録する（ステップＳ４８）。
【０１２０】
なお、抽出録画をすぐに開始しない場合は、時間帯指定起動を行う（ステップＳ４９）。時間帯指定起動とは、視聴者が指定した時間帯に放送波の受信を行い、ＣＭの検出・録画を行うものである。また、視聴者が抽出録画を希望しない場合は、処理が終了する（ステップＳ５０）。
【０１２１】
以上のＣＭ録画設定モードで保存した録画ＣＭ５２は、ＣＭ視聴モードで参照することができる。図７に、ＣＭ視聴モードにおけるＣＭ視聴画面１０１の一例を示す。視聴者は、キーワード指定欄６０に興味のあるＣＭのキーワードを入力する。
図７では「パソコン」と入力されている。キーワードの検索結果は、検索結果表示欄６２に一覧表示される。ここには、受信したＣＭ関連情報２９の情報が表示される。表示内容は、例えばＣＭメタ情報２４のＣＭタイトル名が利用される。
なお、表示は必ずしも装置そのものが行う必要はなく、映像信号などで外部に接続されたディスプレイに出力するものでも良い。
図７では、「パソコン」のキーワードに該当した３つのＣＭタイトル名が表示されているが、ハードディスク４６内に保存済みの録画ＣＭ５２（Ａ社製品）は太字で、保存されていないＣＭ（Ｂ社製品）は細字で示されている。
また、図７では、Ａ社の「ノートＧ」が選択された状態を示している。そして、選択されたＣＭのＣＭ動画がＣＭ動画表示部６１に、ＣＭ関連情報２９（の一部）がＣＭ関連情報表示欄６３に、それぞれ表示される。ここでは、例としてＣＭメタ情報２４（の一部）がＣＭ関連情報表示欄６３に表示されている。なお、保存されていないＢ社「ＰＣ−Ｘ」を選択した場合は、前述のように予約録画を行うかどうかの問い合わせが表示される。
【０１２２】
録画ＣＭ５２を参照した際に詳細情報を得たい場合は、視聴者は入力装置４７を用いてスポンサーサイト参照ボタン６４を押す。すると、録画装置１５の表示画面はＣＭ視聴モードからインターネットブラウズモードに切り替わり、スポンサーサイト１３が表示される。このとき、録画装置１５では視聴ログ３０にスポンサーサイト１３へのアクセス日時が記録され、視聴者ＩＤ２７と表示しているＣＭの視聴ログ３０がＣＭ情報提供装置１４に送信される。
【０１２３】
図８に、インターネットブラウズモードの画面表示１０２の一例を示す。当該画面は、スポンサーサイト表示部６５とブラウザ操作部６６とで構成される。図８では、Ａ社のパーソナルコンピュータに関する商品情報２１のホームページが表示されている。視聴者は入力装置４７を使ってブラウザ操作部６６のボタンを操作し、ホームページのハイパーリンクをたどってブラウズを進めていくことで、更に詳細な商品情報である商品詳細情報２３を得ることができる。
【０１２４】
図９及び図１０に、ＣＭ視聴モードにおいて、キーワード検索を用いずに、録画装置１５に保存された全ての録画ＣＭ５２の中から希望するＣＭ動画を再生する場合のフローチャートと画面表示の一例を示す。まず視聴者は入力装置４７を用いて録画装置１５をＣＭ視聴モードに切り替え、更に図１０に示すＣＭ選択画面１０３を表示させる。
【０１２５】
ＣＭ選択画面１０３は、録画ＣＭ一覧表示部６７とＣＭ参照ボタン６８で構成されている。録画ＣＭ一覧表示部６７には、録画日時を表示する録画日時欄、ＣＭメタ情報２４の有無を示す情報欄、及びＣＭタイトルを表示するタイトル欄があり、視聴ログ３０に保存されているＣＭコード２２全て（即ち録画されたＣＭ５２全て）について、録画日時、ＣＭメタ情報２４の有無、及びＣＭタイトルが表示されている。これらは録画ＣＭの識別情報となる。ＣＭコード２２をキーにしてＣＭ関連情報５３を調べ、該当するＣＭメタ情報２４が存在した場合は、情報欄に「あり」とタイトル欄にＣＭタイトルを表示する。該当するＣＭメタ情報２４が存在しない場合は、情報欄に「なし」とタイトル欄に「不明」を表示する。なお、ＣＭメタ情報２４はＣＭ関連情報５３に含まれており、情報欄にはＣＭ関連情報５３の有無について示しても良い。
このようなＣＭ選択画面１０３において、視聴者は入力装置４７を用いて希望する録画ＣＭ５２を選択し、ＣＭ参照ボタン６８を押す。図１０は一覧の一番上の録画ＣＭが選択されている状態を示している。
【０１２６】
ＣＭ参照ボタン６８を押したときの動作を、図９を用いて説明する。視聴者が一覧から希望する録画ＣＭ５２を選択してＣＭ参照ボタン６８を押したとき（ステップＳ５１）、選択された録画ＣＭ５２のＣＭコード２２に対応するＣＭメタ情報２４の有無を調べる（ステップＳ５２）。ＣＭメタ情報２４が存在した場合はＣＭ選択画面１０３からＣＭ参照画面１０１に遷移し、ＣＭ動画を再生し、再生日時の視聴ログ３０を更新する（ステップＳ５６）。
【０１２７】
ＣＭメタ情報２４がない場合は、視聴者ＩＤ２７及び選択された録画ＣＭ５２のＣＭコード２２をＣＭ情報提供装置１４に送信する。ＣＭ情報提供装置１４は、録画装置１５から受け取ったＣＭコード２２に一致するＣＭ関連情報２９を送り返す。録画装置１５はＣＭ関連情報２９を受信すると（ステップＳ５４）、受信したＣＭコード２２とＣＭメタ情報２４を、ＣＭ関連情報５３として保存する（ステップＳ５５）。そして、ＣＭ動画を再生し、再生日時の視聴ログ３０を更新する（ステップＳ５６）。
【０１２８】
上記構成により、録画したＣＭ５２ではなく受信したＣＭをリアルタイムで視聴しているときにも、商品詳細情報２３を知ることができる。このような場合、視聴者は、入力装置４７に設けられた「録画ボタン」を押して気になったＣＭを録画する。すると図６Ａの処理ステップＳ２１〜ステップＳ２３に相当する処理が動作し、受信したＣＭが録画される。この録画後にＣＭ選択画面１０３を表示し、録画日時から希望の録画ＣＭ５２を選択することで、ＣＭ視聴画面１０１で録画ＣＭ５２の視聴とスポンサーサイト１３へのアクセスを行うことができる。
【０１２９】
本実施の形態における、スポンサー１０、広告代理店１１、放送局１２録画１５及びＣＭ情報提供装置１４の料金の授受について説明する。支払い方法については、支払い金額のデータの送受信により行う。支払い元、支払い先として、各々に対応した金融機関の口座を指定することもできる。
まず、スポンサー１０は広告費を広告代理店１１に支払う。広告代理店１１は広告費からＣＭの制作費、放送料、ＣＭ情報提供装置１４の運営費を算出し、放送料を放送局１２に、ＣＭ情報提供装置１４の運営費をＣＭ情報提供装置１４に支払う。
録画１５はＣＭ情報提供装置１４に、ＣＭ情報提供装置１４の利用料を支払う。このとき、録画装置１５から視聴ログ３０を提供する代わりに、利用料を減額あるいは無料にしても良い。また、録画装置１５はＣＭ情報提供装置１４の運営者からレンタルしても良い。この他、ＣＭ情報提供装置１４はマーケティング用データ３１の提供料を広告代理店１１から受け、広告代理店１１はマーケティング情報３２の提供料をスポンサー１０から受ける。但し、これらの提供料は前述の運営費や広告費に含まれていても良い。
【０１３０】
以上説明した本実施の形態において、ＣＭメタ情報２４、ＣＭスケジュール情報２６、視聴者ＩＤ２７、ＣＭ関連情報２９、視聴ログ３０、マーケティング用データ３１、及び視聴者属性情報５７といった各情報の内容は一例を示したものであり、必要に応じて変更・追加・削除しても良い。特に視聴者属性情報５７に関しては、プライバシー保護の観点から、マーケティング用データ３１に含めるかどうかを適宜選択するようにしても良い。
【０１３１】
なお、録画装置１５がすでにＣＭを含む番組を録画中であるときには、その録画と平行して、録画ＣＭ５２及びＣＭ視聴ログ３０を別の記憶媒体に保存しても良いし、ＣＭ視聴ログ３０のみ別の記憶媒体に保存し、番組の録画に含まれるＣＭ部分を、録画ＣＭ５２として取り扱っても良い。
【０１３２】
また、録画装置１５の記録媒体はハードディスク４６に限らず、録画装置１５から取り外して持ち運びや交換ができる記録型ＤＶＤ（Ｄｉｇｉｔａｌ  Ｖｅｒｓａｔｉｌｅ  Ｄｉｓｋ）や半導体メモリといったリムーバブルメディアでも良い。例えば、ＣＭ関連情報５３やＣＭ視聴ログ３０の保存には録画装置１５の本体に内蔵されたハードディスク４６や半導体メモリを用い、録画番組５１や録画ＣＭ５２の保存には交換可能な記録型ＤＶＤを用いても良い。その場合、ＣＭ視聴ログ３０の中に記録型ＤＶＤのディスクＮｏを記録しておき、ＣＭを検索した際にディスクＮｏを表示して対応するディスクを本体に挿入するように促すようにすると、視聴者が複数の記録型ＤＶＤにＣＭ動画を保存した場合でも、ディスクの入れ替えをせずに本体内で検索を行うことができる。
【０１３３】
なお、本実施例では、ＣＭの録画と再生を行う装置を録画装置１５として説明したが、必ずしも前述の録画装置１５を使用する必要はなく、録画装置１５の代わりに、近年普及が進んでいるＴＶチューナを備えたパーソナルコンピュータを使用し、このパーソナルコンピュータ上で録画装置におけるプログラムを動作させることでＣＭの録画と再生を実現しても良い。このとき、ＣＭコードの検出をハードウェアで行なうなど、プログラムの機能の一部がハードウェアで代替されても良い。
【０１３４】
また、エンコーダ４４は、放送波を例えばＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）などの動画形式に変換するが、デジタル放送の場合には、エンコーダ２２による変換を行わずに、放送波として受信したデータから必要な部分を、そのままハードディスク４６に保存しても良い。
【０１３５】
また、抽出録画の際は、キーワードに該当したＣＭコード２２のＣＭだけでなく、受信した放送波に含まれたＣＭ全てを録画しても良い。このようにすると、後に別のキーワードでＣＭの検索を行った際に、新たに録画をせずに視聴できる可能性が高くなる。
【０１３６】
更に、本実施の形態においてはスポンサーサイト１３へのアクセス時に視聴ログ３０をＣＭ情報提供装置１４に送信しているが、このタイミングに限らずに、ハードディスク４６に保存されているＣＭ視聴ログ３０を一括して定期的に送信しても良い。このようにすると、視聴ログ３０に含まれる再生日時やスポンサーサイト１３へのアクセス日時を調べることで、視聴していない録画ＣＭ５２や、視聴したがスポンサーサイト１３へのアクセスはしていない録画ＣＭ５２がわかる。即ち視聴者が興味を持ったＣＭと興味がなかったＣＭを判別することができる。
【０１３７】
以上説明した本実施の形態の録画装置１５によれば、受信・録画したＣＭ５２についてはそのＣＭコード２２を保存しておくので、視聴者は録画ＣＭ５２から視聴したいＣＭを検索する際にＣＭコード２２を利用してＣＭ関連情報５３を得ることで、目的のＣＭを簡単に見つけることができる。また、録画装置１５内に録画されていないＣＭに関しては放送スケジュールを用いて新たに録画することができる。更に、録画ＣＭ５２の視聴時にはスポンサーサイト１３へアクセスして、ＣＭ内容に関する詳細な情報を得ることもできる。
【０１３８】
また、本実施の形態の情報提供装置１４によれば、視聴者が録画ＣＭ５２を見るときに、その録画ＣＭ５２に対応する情報（即ち録画ＣＭ５２を示すキーワード情報２８又はＣＭコード２２）を録画装置１５から受け取ることで、視聴者の希望するタイミングでＣＭ関連情報２９を提供することができる。
【０１３９】
また、本実施の形態のマーケティング情報収集システム及び収集方法によれば、録画ＣＭ５２の録画日時や再生日時、及びスポンサーサイト１３へのアクセス日時といった、録画されたＣＭ５２に対する視聴者の行動を示す視聴ログ３０がマーケティング用データとして用いられる。更に、視聴ログ３０を視聴者属性情報５７とともに提供することもできるため、視聴者が実際にいつ、どんなＣＭを見て、商品に興味を持ったのか判別するのに役立つ有用なマーケティング情報を得ることができる。
【図面の簡単な説明】
【０１４０】
【図１】図１は、本発明のマーケティング情報収集システムのブロック図である。
【図２】図２は、本発明のマーケティング情報収集方法のフローチャートである。
【図３】図３は、本発明のＣＭ情報提供装置と録画装置のブロック図である。
【図４】図４は、本発明のＣＭ関連情報の一例である。
【図５】図５は、本発明のマーケティング用データの一例である。
【図６Ａ】図６Ａは、本発明の録画装置のＣＭ視聴モード時の処理を示すフローチャートである。
【図６Ｂ】図６Ｂは、本発明の録画装置のＣＭ録画設定モード時の処理を示すフローチャートである。
【図７】図７は、本発明のＣＭ視聴画面の一例である。
【図８】図８は、本発明のインターネットブラウズ画面の一例である。
【図９】図９は、本発明の録画装置の動作を示すフローチャートである。
【図１０】図１０は、本発明のＣＭ選択画面の一例である。
【符号の説明】
【０１４１】
１０…  スポンサー
１１…  広告代理店
１２…  放送局
１３…  スポンサーサイト
１４…  ＣＭ（コマーシャル）情報提供装置
１５…  録画装置
１６…  ディスプレイ
２１…  商品情報
２２…  ＣＭコード
２３…  商品詳細情報
２４…  ＣＭメタ情報
２５…  ＣＭ
２６…  ＣＭスケジュール情報
２７…  視聴者ＩＤ
２８…  キーワード情報
２９…  ＣＭ関連情報（ＣＭ情報提供装置）
３０…  視聴ログ
３１…  マーケティング用データ
３２…  マーケティング情報
４０…  インターネット
４１…  アンテナ
４２…  チューナ
４３…  ＣＭコードデコーダ
４４…  エンコーダ
４５…  ＣＰＵ
４６…  ハードディスク
４７…  入力装置
４８…  ネットワークインタフェース
４９…  映像音声出力部
５０…  バス
５１…  録画番組
５２…  録画ＣＭ
５３…  ＣＭ関連情報（録画装置）
５４…  サーバ
５５…  ＣＭ関連情報記憶装置
５６…  マーケティング用データ記憶装置
５７…  視聴者属性情報
６０…  キーワード指定欄
６１…  ＣＭ動画表示部
６２…  検索結果表示欄
６３…  ＣＭ関連情報表示欄
６４…  スポンサーサイト参照ボタン
６５…  スポンサーサイト表示部
６６…  ブラウザ操作部
６７…  録画ＣＭ一覧表示部
６８…  ＣＭ参照ボタン
１００…  マーケティングシステム
１０１…  ＣＭ視聴画面
１０２…  インターネットブラウズモード画面
１０３…  ＣＭ選択画面
【図１】
2006025156.tif 000003
【図２】
2006025156.tif 000004
【図３】
2006025156.tif 000005
【図４】
2006025156.tif 000006
【図５】
2006025156.tif 000007
【図６Ａ】
2006025156.tif 000008
【図６Ｂ】
2006025156.tif 000009
【図７】
2006025156.tif 000010
【図８】
2006025156.tif 000011
【図９】
2006025156.tif 000012
【図１０】
2006025156.tif 000013